(57)【要約】【課題】見切り縁材の下地に対する施工が容易なだけでなく、見切り縁材の端部の外観を良くすることができ、かつ見切り縁材を下地に強固に固定することができるパネル材の見切り縁材取り付け構造を提供する。【解決手段】コーナーカバー８で隠蔽される見切り縁材４の端部同士の間には、押さえ片６ａを有した固定具６を下地に固着させて、押さえ片６ａのそれぞれで、見切り縁材４の端部に設けた係止部４ａを押さえ止めする構造にした。【選択図】図１
2010126907.tif 000002
【特許請求の範囲】
【請求項１】
下地にパネル材を併設し、該パネル材のコーナー部を挟むようにして対応した辺の縁部に見切り縁材を被せ、該パネル材のコーナー部に被せたコーナーカバーによって、それらの見切り縁材の端部を隠蔽した、パネル材の見切り縁材取り付け構造であって、
上記コーナーカバーで隠蔽される見切り縁材の端部同士の間には、押さえ片を有した固定具を上記下地に固着させて、該押さえ片のそれぞれで、上記見切り縁材の端部に設けた係止部を押さえ止めする構造にしたことを特徴とするパネル材の見切り縁材取り付け構造。
【請求項２】
請求項１に記載のパネル材の見切り縁材取り付け構造において、
上記見切り縁材のそれぞれは、上記パネル材の縁部と嵌め合うようにしてパネル材を上記下地に係止する取付部材に着脱可能に係止される構造にしたことを特徴とするパネル材の見切り縁材取り付け構造。
【請求項３】
請求項１または２に記載のパネル材の見切り縁材取り付け構造において、
上記見切り縁材のそれぞれは、上記見切り縁材の係止部として、断面逆Ｌ形状の本体内部に係止受片を突出させて形成し、
上記固定具の押さえ片のそれぞれで、上記見切り縁材に設けた上記係止受片を押さえ止めする構造にしたことを特徴とするパネル材の見切り縁材取り付け構造。
【請求項４】
請求項２乃至３のいずれか１項に記載のパネル材の見切り縁材取り付け構造において、
上記見切り縁材は金属製部材で構成され、上記取付部材は合成樹脂で構成され、両者は、それぞれの一方に嵌合凹部を設け、他方には対応した挿入突片を設けて着脱可能に結合することを特徴とするパネル材の見切り縁材取り付け構造。
【請求項５】
請求項１乃至４のいずれか１項に記載のパネル材の見切り縁材取り付け構造において、
上記固定具は、ネジ挿入孔を有し、該ネジ挿入孔よりネジを螺入させて、固定具を上記下地に固定することを特徴とするパネル材の見切り縁材取り付け構造。
【請求項６】
請求項１乃至５のいずれか１項に記載のパネル材の見切り縁材取り付け構造において、
上記固定具は、上記コーナーカバーの内面に形成した凹溝部に挿着される取付片を突出形成していることを特徴とするパネル材の見切り縁材取り付け構造。
【発明の詳細な説明】
【技術分野】
【０００１】
本発明は、下地に併設されるパネル材の見切り縁材取り付け構造の改良に関する。
【背景技術】
【０００２】
一般に、下地に併設されるパネル材の周囲には、外観を良好にするために、いわゆる見切り縁材と呼ばれる部材が設けられることが多い。
【０００３】
従来、このような見切り縁材として、施工を容易にするために、パネル材を下地に固着する取付部材に着脱可能に係止されるものが知られている。
【０００４】
例えば、特許文献１には、見切り縁材としての金属製の化粧カバーと、見切り縁材の取付部材としての合成樹脂製の敷目板とを組み合わせた止縁の構造が開示され提案されている。
【０００５】
しかしながら、上述の特許文献１に開示された止縁の構造では、化粧カバーを下地に固定される敷目板に嵌合させるので、化粧カバーの敷目板に対する着脱が容易であるという利点があるが、化粧カバーは敷目板に嵌め合いさせて結合しているだけなので、化粧カバーに強い外力が働いた場合などは、化粧カバーが、敷目板から脱落するなど、見切り縁材である化粧カバーが下地に対して不安定にな  るという問題があった。
【０００６】
また、パネル材のコーナー部においては、見切り縁材の端部が縦勝ちあるいは横勝ちとなっているので、コーナー部における見切り縁材の端部の外観が良好とはいえなかった。
【特許文献１】特開平７−２５９３１８号公報
【発明の開示】
【発明が解決しようとする課題】
【０００７】
本発明は上記事情に鑑みてなされたものであり、見切り縁材の下地に対する施工が容易なだけでなく、見切り縁材の端部の外観を良くすることができ、かつ見切り縁材を下地に強固に固定することができるパネル材の見切り縁材取り付け構      造を提供することを目的としている。
【課題を解決するための手段】
【０００８】
上記目的を解決するために、請求項１に記載のパネル材の見切り縁材取り付け構造は、下地にパネル材を併設し、該パネル材のコーナー部を挟むようにして対応した辺の縁部に見切り縁材を被せ、該パネル材のコーナー部に被せたコーナーカバーによって、それらの見切り縁材の端部を隠蔽した、パネル材の見切り縁材取り付け構造であって、上記コーナーカバーで隠蔽される見切り縁材の端部同士の間には、押さえ片を有した固定具を上記下地に固着させて、該押さえ片のそれぞれで、上記見切り縁材の端部に設けた係止部を押さえ止めする構造にしたことを特徴とする。
【０００９】
また、請求項２に記載のパネル材の見切り縁材取り付け構造は、請求項１に記載のパネル材の見切り縁材取り付け構造において、上記見切り縁材のそれぞれは、上記パネル材の縁部と嵌め合うようにしてパネル材を上記下地に係止する取付部材に着脱可能に係止される構造にしたことを特徴とする。
【００１０】
また、請求項３に記載のパネル材の見切り縁材取り付け構造は、請求項１または２に記載のパネル材の見切り縁材取り付け構造において、上記見切り縁材のそれぞれは、上記見切り縁材の係止部として、断面逆Ｌ形状の本体内部に係止受片を突出させて形成し、上記固定具の押さえ片のそれぞれで、上記見切り縁材に設けた上記係止受片を押さえ止めする構造にしたことを特徴とする。
【００１１】
また、請求項４に記載のパネル材の見切り縁材取り付け構造は、請求項２乃至３のいずれか１項に記載のパネル材の見切り縁材取り付け構造において、上記見切り縁材は金属製部材で構成され、上記取付部材は合成樹脂で構成され、両者は、それぞれの一方に嵌合凹部を設け、他方には対応した挿入突片を設けて着脱可能に結合することを特徴とする。
【００１２】
また、請求項５に記載のパネル材の見切り縁材取り付け構造は、請求項１乃至４のいずれか１項に記載のパネル材の見切り縁材取り付け構造において、上記固定具は、ネジ挿入孔を有し、該ネジ挿入孔よりネジを螺入させて、固定具を上記下地に固定することを特徴とする。
【００１３】
また、請求項６に記載のパネル材の見切り縁材取り付け構造は、請求項１乃至５のいずれか１項に記載のパネル材の見切り縁材取り付け構造において、上記固定具は、上記コーナーカバーの内面に形成した凹溝部に挿着される取付片を突出形成していることを特徴とする。
【発明の効果】
【００１４】
請求項１に記載のパネル材の見切り縁材取り付け構造によれば、コーナーカバーで隠蔽される見切り縁材の端部同士の間に、押さえ片を有した固定具を下地に固着させて、該押さえ片のそれぞれで、見切り縁材の端部に設けた係止部を押さえ止めする構造にしたので、見切り縁材の下地に対する施工が容易なだけでなく、見切り縁材を固定具を介して下地に強固に固定することができる。
【００１５】
また、パネル材のコーナー部に被せたコーナーカバーによって、見切り縁材の端部を隠蔽したので、見切り縁材の端部の外観を良くすることができる。
【００１６】
請求項２に記載のパネル材の見切り縁材取り付け構造によれば、見切り縁材のそれぞれがパネル材の縁部と嵌め合うようにしてパネル材を下地に係止する取付部材に着脱可能に係止されるので、見切り縁材の下地に対する施工がより容易なだけでなく、見切り縁材を下地により強固に固定することができる。
【００１７】
請求項３に記載のパネル材の見切り縁材取り付け構造によれば、見切り縁材の係止部として、断面逆Ｌ形状の本体内部に係止受片を突出させて形成し、固定具の押さえ片のそれぞれで、見切り縁材に設けた係止受片を押さえ止めする構造にしたので、係止部が見切り縁材の外側に現れず、コンパクトな構造にすることができる。また、見切り縁材を固定具を介して下地にさらに強固に固定することができる。
【００１８】
請求項４に記載のパネル材の見切り縁材取り付け構造によれば、見切り縁材が、金属製部材で構成されるので、外観が良好である。
【００１９】
また、取付部材が合成樹脂で構成され、見切り縁材と取付部材との一方に嵌合凹部を設け、他方には対応した挿入突片を設けて着脱可能に結合するので、見切り縁材の下地に対する保持と着脱とを容易にすることができる。
【００２０】
請求項５に記載のパネル材の見切り縁材取り付け構造によれば、固定具が、ネジ挿入孔を有し、該ネジ挿入孔よりネジを螺入させて、固定具を下地に固定するので、見切り縁材を固定具を介して下地に、より強固にしかも確実に固定することができる。
【００２１】
請求項６に記載のパネル材の見切り縁材取り付け構造によれば、コーナーカバーの内側に形成された凹溝部に固定具の取付片を挿着させてコーナーカバーを固定具に取り付けるので、挿着部位が内側に隠されて外観良好であるとともに、コーナーカバーの着脱が容易である。
【発明を実施するための最良の形態】
【００２２】
以下、添付図面を参照しながら本発明の好ましい実施の一形態について説明する。図１は、本発明の実施の形態のパネル材の見切り縁材取り付け構造１の概略の構成を示す斜視図であり、図２は、パネル材の見切り縁材取り付け構造１が採用されているパネル構造の概略の構成を示す斜視図である。また、図３は、パネル材の見切り縁材取り付け構造１の概略の構成を示す平面図であり、図４は、見切り縁材４と取付部材７の概略の構成を示す断面図である。また、図５は、コーナーカバー８を内側から見た斜視図である。
【００２３】
図１に示すように、このパネル材の見切り縁材取り付け構造１においては、下地２にパネル材３を併設し、パネル材３のコーナー部５を挟むようにして対応した辺の縁部に見切り縁材４を被せている。そして、パネル材３のコーナー部５に被せたコーナーカバー８によって、それらの見切り縁材４の端部を隠蔽した構成にしている。
【００２４】
下地２としては、本実施形態では、室内の壁、天井を想定している。
【００２５】
また、パネル材３としては、本実施形態では、室内の壁、天井に併設される内装用化粧板を想定している。
【００２６】
見切り縁材４は、パネル材３の辺の縁部に被せる部材であり、本実施形態では、外観を良好にする観点から金属製部材で構成されている。
【００２７】
この見切り縁材４のそれぞれは、図４にも示すように、断面逆Ｌ形状の本体内部に固定具６の押さえ片６ａによって押さえ止めされる係止部４ａとして係止受片４ｂを突出させて形成するとともに、パネル材３の縁部と嵌め合うようにしてパネル材を下地２に係止する取付部材７に着脱可能に係止される構造になっている。
【００２８】
取付部材７は合成樹脂で構成されており、釘１２により下地２に固着される。また、一方の取付部材７には嵌合凹部７ａを設け、他方の見切り縁材４には対応した挿入突片４ｃを設けて、見切り縁材４と取付部材７とを着脱可能に結合している。そして、見切り縁材４の係止受片４ｂは、取付部材７の脚部７ｂに被せられ、また、見切り縁材４の係止受片４ｂは、図１に示すようにさらに固定具６の押さえ片６ａにより押し下げられることにより、見切り縁材４は取付部材７の脚部７ｂを介して下地２に強固に固定されている。
【００２９】
ここで、固定具６の押さえ片６ａは、傾斜部６ｄによって所定の角度で上方に延出されている。
【００３０】
また、固定具６には、コーナーカバー８の内面に形成した凹溝部１０に挿着される取付片１１が突出形成されている。そして、この固定具６は、ネジ挿入孔６ｂ（図７）を有し、ネジ挿入孔６ｂよりネジ６ｃを螺入させて、固定具６を下地２に固定するように構成されている。
【００３１】
このように、コーナーカバー８で隠蔽される見切り縁材４の端部同士の間には、押さえ片６ａを有した固定具６を下地２に固着させて、この押さえ片６ａのそれぞれで、見切り縁材４の端部に設けた係止部４ａとしての係止受片４ｂを押さえ止めしている。
【００３２】
次に、図６から図８を参照して、本発明の実施形態に係るパネル材の見切り縁材取り付け構造１の施工方法について説明する。
【００３３】
図６は、見切り縁材４の取り付け要領を示す斜視図である。
【００３４】
図６に示すように、このパネル材の見切り縁材取り付け構造１においては、まず、パネル材３の縁部を係止するようにして取付部材７を釘１２で下地２に固着し、パネル材３を下地２に取付ける。
【００３５】
そして、見切り縁材４の挿入突片４ｃを、取付部材７の嵌合凹部７ａに係止して着脱可能に結合する。ここで、挿入突片４ｃの先端は拡大しており、嵌合凹部７ａからの抜けを防止している。
【００３６】
次に、図７は、固定具６の取り付け要領を示す斜視図である。
【００３７】
図７に示すように、コーナーカバー８で隠蔽される見切り縁材４の端部同士の間には、押さえ片６ａのそれぞれで、見切り縁材４に設けた係止受片４ｂを押さえ止めするようにして固定具６のネジ挿入孔６ｂよりネジ６ｃを螺入させて、固定具６を下地２に固定する。
【００３８】
そして、図８は、固定具６にコーナーカバー８が取り付けられた状態を示す斜視図である
図８に示すように、最後に固定具６の取付片１１をコーナーカバー８の内面に形成した凹溝部１０に挿着するようにして、コーナーカバー８を固定具６に取り付ける。
【００３９】
以上説明したように、パネル材の見切り縁材取り付け構造１によれば、コーナーカバー８で隠蔽される見切り縁材４の端部同士の間に、押さえ片６ａを有した固定具６を下地２に固着させて、押さえ片６ａのそれぞれで、見切り縁材４に設けた係止受片４ｂを押さえ止めする構造にしたので、見切り縁材４の下地２に対する施工が容易なだけでなく、見切り縁材４を固定具６を介して下地２に強固に固定することができる。
【００４０】
また、パネル材３のコーナー部５に被せたコーナーカバー８によって、見切り縁材４の端部を隠蔽したので、見切り縁材４の端部の外観を良くすることができる。
【００４１】
また、見切り縁材４が、金属製部材で構成されるので、外観が良好である。
【００４２】
また、取付部材７が合成樹脂で構成され、見切り縁材４と取付部材７との一方に嵌合凹部７ａを設け、他方には対応した挿入突片４ｃを設けて着脱可能に結合するので、見切り縁材４の下地２に対する保持と着脱とを容易にすることができる。
【００４３】
また、固定具６が、ネジ挿入孔６ｂを有し、該ネジ挿入孔６ｂよりネジ６ｃを螺入させて、固定具６を下地２に固定するので、見切り縁材４を固定具６を介して下地２に、より強固にしかも確実に固定することができる。
【００４４】
さらに、コーナーカバー８の内側に形成された凹溝部１０に固定具６の取付片１１を挿着させてコーナーカバー８を固定具６に取り付けるので、挿着部位が内側に隠されて外観良好であるとともに、コーナーカバー８の着脱が容易である。
【００４５】
上述した実施の形態は本発明の好ましい具体例を例示したものに過ぎず、本発明は上述した実施の形態に限定されない。
【００４６】
例えば、下地２としては、室内の壁、天井に限定されない。パネル状の部材が併設可能なものであれば、種々の下地２に適用可能である。
【００４７】
また、パネル材３も内装用化粧板に限定されない。パネル状の部材であれば、種々のパネル材３に適用可能である。
【００４８】
見切り縁材４は、本実施形態では、外観を良好にする観点から金属製部材で構成され、また、本体が、断面逆Ｌ形状に形成されているが、必ずしもこのような材料、形状に限定されない。パネル材３の辺の縁部に被せる部材であり、下地２に固着される構造になっているものであれば、材質、形状など種々の設計変更が可能である。
【００４９】
また、取付部材７も必ずしも図示の形状に形成された合成樹脂の部材である必要はなく、下地２に固着され、見切り縁材４を着脱可能に係止する構造になっているものであれば、材質、形状など種々の設計変更が可能である。
【００５０】
また、見切り縁材４の端部に設けた係止部４ａは、必ずしも図示の係止受片４ｂように、舌状の部材である必要はない。例えば、見切り縁材４の端部の上面を係止部４ａとしてこれを固定具６の押さえ片６ａで押さえ止めするようにしてもよいなど種々の設計変更が可能である。
【００５１】
さらに、固定具６も必ずしもネジ挿入孔６ｂよりネジ６ｃを螺入させて下地２に固定される図示の形状に限定されない。下地２に固着可能で、押さえ片６ａで、見切り縁材４に設けた係止部４ａを押さえ止め可能なものであれば、種々の設計変更が可能である。
【００５２】
そして、コーナーカバー８もパネル材３のコーナー部５に被せられるものであれば、種々の設計変更が可能である。
【００５３】
その他、本発明の特許請求の範囲内で種々の設計変更が可能であることはいうまでもない。
【図面の簡単な説明】
【００５４】
【図１】本発明の実施の形態のパネル材の見切り縁材取り付け構造の概略の構成を示す斜視図である。
【図２】本発明の実施の形態のパネル材の見切り縁材取り付け構造が採用されているパネル構造の概略の構成を示す斜視図である。
【図３】パネル材の見切り縁材取り付け構造の概略の構成を示す平面図である。
【図４】見切り縁材と取付部材の概略の構成を示す断面図である。
【図５】コーナーカバーを内側から見た斜視図である。
【図６】見切り縁材の取り付け要領を示す斜視図である。
【図７】固定具の取り付け要領を示す斜視図である。
【図８】固定具にコーナーカバーが取り付けられた状態を示す斜視図である。
【符号の説明】
【００５５】
１    パネル材の見切り縁材取り付け構造
２    下地
３    パネル材
４    見切り縁材
４ａ  係止部
４ｂ  係止受片
４ｃ  挿入突片
５    コーナー部
６    固定具
６ａ  押さえ片
７    取付部材
７ａ  嵌合凹部
８    コーナーカバー
１０  凹溝部
１１  取付片
【図１】
2010126907.tif 000003
【図２】
2010126907.tif 000004
【図３】
2010126907.tif 000005
【図４】
2010126907.tif 000006
【図５】
2010126907.tif 000007
【図６】
2010126907.tif 000008
【図７】
2010126907.tif 000009
【図８】
2010126907.tif 000010